(57)【特許請求の範囲】
【請求項１】
室外機と複数の室内機とを備え、
前記室外機は、複数の圧縮機と、複数の室外熱交換器と、複数の流路切替装置と、複数の膨張弁と、前記複数の室外熱交換器に空気を送る単一の室外ファンと、前記単一の室外ファンを駆動する単一の室外ファンモーターと、前記室外機を制御する室外機制御手段とを有し、
前記複数の室内機は、それぞれ室内熱交換器を有し、
前記圧縮機と前記室外熱交換器と前記流路切換装置と前記膨張弁と前記複数の室内機のうちの一部の室内機の前記室内熱交換器とが冷媒配管で接続された冷凍サイクル回路が複数系統構成されている空気調和機であって、
前記室外機制御手段は、
前記複数系統の前記冷凍サイクル回路が同時に運転されているとき、
前記複数系統の前記冷凍サイクル回路のそれぞれの前記室外熱交換器における冷媒の目標凝縮温度を取得し、
前記複数系統の前記冷凍サイクル回路毎に、前記圧縮機の運転周波数を取得し、
前記複数系統の前記冷凍サイクル回路毎に、前記圧縮機の運転周波数の帯域の高低に対応して段階的に規定されている複数の周波数バンドと、前記複数の周波数バンド毎に規定されている前記室外熱交換器の目標凝縮温度の中から、取得した前記圧縮機の運転周波数に基づいて前記目標凝縮温度と、を特定し、
運転周波数が最も大きい前記圧縮機を有する前記冷凍サイクル回路の前記周波数バンドと、運転周波数が最も小さい前記圧縮機を有する前記冷凍サイクル回路の前記周波数バンドとの差分を算出し、
前記周波数バンドの差分に対応して段階的に規定されている複数の前記目標凝縮温度の補正値の中から、算出された前記周波数バンドの差分に基づいて、前記補正値を決定し、
運転周波数が最も大きい前記圧縮機を有する前記冷凍サイクル回路の前記目標凝縮温度を前記補正値で補正し、
前記室外熱交換器の凝縮温度が前記補正値で補正された前記目標凝縮温度となるよう、前記単一の室外ファンモーターの回転数を制御する空気調和機。
【請求項２】
前記補正値は、前記周波数バンドの差分が大きくなるにつれ、より大きくなるよう規定されている請求項１に記載の空気調和機。
【請求項３】
前記室外機制御手段は、
前記室外熱交換器の現在の凝縮温度と、補正された前記目標凝縮温度との差分に基づいて前記単一の室外ファンモーターの回転数を制御するとき、ヒステリシスを持たせて前記単一の室外ファンモーターの回転数を制御する請求項１又は２に記載の空気調和機。
【請求項４】
室外機と複数の室内機とを備え、
前記室外機は、複数の圧縮機と、複数の室外熱交換器と、複数の流路切替装置と、複数の膨張弁と、前記複数の室外熱交換器に空気を送る単一の室外ファンと、前記単一の室外ファンを駆動する単一の室外ファンモーターと有し、
前記圧縮機と前記室外熱交換器と前記流路切換装置と前記膨張弁と前記複数の室内機のうちの一部の室内機の室内熱交換器とが冷媒配管で接続された冷凍サイクル回路を複数系統有する空気調和機において、
前記複数系統の冷凍サイクル回路が同時に運転されているとき、
前記空気調和機の冷媒の目標凝縮温度を設定する設定ステップと、
前記目標凝縮温度に基づいて前記単一の室外ファンモーターの回転を制御するモーター制御ステップとを含み、
前記設定ステップは、
前記複数系統の前記冷凍サイクル回路毎に、前記圧縮機の運転周波数を取得し、
前記圧縮機の運転周波数の帯域の高低に対応して段階的に規定されている複数の周波数バンドと、前記複数の周波数バンド毎に規定されている、前記室外熱交換器の目標凝縮温度の中から、前記複数系統の前記冷凍サイクル回路毎に、取得した前記圧縮機の運転周波数に基づいて前記目標凝縮温度と、を特定する特定ステップと、
運転周波数が最も大きい前記圧縮機を有する前記冷凍サイクル回路の前記周波数バンドと、運転周波数が最も小さい前記圧縮機を有する前記冷凍サイクル回路の前記周波数バンドとの差分を算出するバンド差分算出ステップと、
前記周波数バンドの差分に対応して段階的に規定されている複数の前記目標凝縮温度の補正値の中から、前記バンド差分算出ステップで算出された前記周波数バンドの前記差分に基づいて、前記補正値を決定する補正値決定ステップと、
運転周波数が最も大きい前記圧縮機を有する前記冷凍サイクル回路の前記目標凝縮温度を前記補正値で補正する補正ステップとを含んでいる空気調和機のファン速制御方法。
【請求項５】
前記モーター制御ステップは、
前記室外熱交換器の現在の凝縮温度と、前記補正ステップで補正された前記目標凝縮温度との差分を検出する温度差分検出ステップと、
前記温度差分検出ステップで検出された前記差分に基づいて、前記室外熱交換器の凝縮温度が前記補正ステップで補正された前記目標凝縮温度となるよう前記単一の室外ファンモーターの回転数を制御する回転数制御ステップとを含んでいる請求項４に記載の空気調和機のファン速制御方法。
【請求項６】
前記回転数制御ステップにおいて、前記単一の室外ファンモーターの回転数はヒステリシスを持たせて制御される請求項５に記載の空気調和機のファン速制御方法。
【発明の詳細な説明】
【技術分野】
【０００１】
本発明は、空気調和機及び空気調和機のファン速制御方法に関するものであり、より詳しくは、複数の冷凍サイクル回路を有するマルチタイプの空気調和機及びその空気調和機のファン速制御方法に関するものである。
【背景技術】
【０００２】
従来、１台の室外機に複数台の室内機を接続し、複数台の室内機を個別に運転し、制御することが可能なマルチタイプの空気調和機が存在する。マルチタイプの空気調和機においては、接続可能な室内機の台数が増え、室外機に必要とされる能力帯が大きくなると、接続される室内機の台数が最大となる時の能力を最大能力として室外機に担保しなければならない。そのため、室外機に大型の圧縮機を搭載する必要が出てくる。大型の圧縮機を室外機に搭載した場合、運転する室内機が１台のみで、当該室内機の設置されている部屋の空調負荷が小さいと、圧縮機の許容する最低周波数で運転をすることとなる。しかしながら、大型の圧縮機の場合、空調負荷に対して圧縮機の運転能力が大きくなってしまう可能性がある。その結果、圧縮機の断続運転が行われ、快適性が損なわれることが懸念される。【０００３】
このような問題を解決する手段として、特許文献１には、１台の室外機の中に、２つの圧縮機と、２つの四方弁と、２つの絞り部とを搭載し、室外熱交換器を２系統に分割することにより、２系統の冷媒回路を備えたマルチタイプの空気調和機が記載されている。特許文献１に記載されている、独立した２つの冷凍サイクルを有するマルチタイプの空気調和機では、冷凍サイクルの冷媒が流れるパスを複数有する室外熱交換器において、異なる冷凍サイクルのパスが帯状のフィンの長さ方向に交互に配置されている。また、特許文献２に記載の空気調和機は、複数の室外熱交換器を有するマルチ型の冷暖房兼用空気調和機であり、個々の室外熱交換器は複数の帯状の積層されたフィンを有し、かつフィンはフィンの長さ方向に対して第一熱交管部と第二熱交管部に区切られている。
【先行技術文献】
【特許文献】
【０００４】
【特許文献１】特開２００６−１５３３３３号公報
【特許文献２】特開２０００−３９２２３号公報
【発明の概要】
【発明が解決しようとする課題】
【０００５】
特許文献１及び特許文献２の空気調和機のように、室外熱交換器を２つの系統に分割する構成を採用すると、１系統当たりで発揮すべき能力は半分で済むため、圧縮機の最大能力を確保しつつ、室内機の個別運転時の圧縮機の最小能力を低くすることができる。しかしながら、特許文献１及び特許文献２に示される空気調和機では、２系統を同時に運転する際の、室外熱交換器に空気を供給するファンのファン速制御について考慮がなされていない。従って、それぞれ空調負荷の異なる系統の冷凍サイクルを同時に制御するのが困難となってしまう。【０００６】
２系統の冷凍サイクル回路では、系統ごとに適切な冷媒の安定状態が存在する。例えば冷房運転では、それぞれの系統における室外熱交換器での必要な過冷却度は空調負荷によって異なる。従って、室外熱交換器において、それぞれの系統において適正な過冷却度を保つためには、系統ごとに個別の室外熱交換器用のファンとファンモーターとを備えてなければならない。すなわち、特許文献１及び特許文献２のような２系統の冷凍サイクルを有するマルチタイプの空気調和機においては、全体としてファンとファンモーターとが２個ずつ必要になる。そのため、制御が複雑となるという問題がある。【０００７】
本発明は、上記のような課題を解決するためになされたものであり、複数系統の冷凍サイクルを有する空気調和機であって、簡易な制御で各系統の冷凍サイクルのバランスをとり、空気調和機全体で安定した運転ができる空気調和機及び空気調和機のファン速制御方法を提供することを目的とする。
【課題を解決するための手段】
【０００８】
本発明に係る空気調和機は、室外機と複数の室内機とを備え、前記室外機は、複数の圧縮機と、複数の室外熱交換器と、複数の流路切替装置と、複数の膨張弁と、前記複数の室外熱交換器に空気を送る単一の室外ファンと、前記単一の室外ファンを駆動する単一の室外ファンモーターと、前記室外機を制御する室外機制御手段とを有し、前記複数の室内機は、それぞれ室内熱交換器を有し、前記圧縮機と前記室外熱交換器と前記流路切換装置と前記膨張弁と前記複数の室内機のうちの一部の室内機の前記室内熱交換器とが冷媒配管で接続された冷凍サイクル回路が複数系統構成されている空気調和機であって、前記室外機制御手段は、前記複数系統の前記冷凍サイクル回路が同時に運転されているとき、前記複数系統の前記冷凍サイクル回路のそれぞれの前記室外熱交換器における冷媒の目標凝縮温度を取得し、前記複数系統の前記冷凍サイクル回路毎に、前記圧縮機の運転周波数を取得し、前記複数系統の前記冷凍サイクル回路毎に、前記圧縮機の運転周波数の帯域の高低に対応して段階的に規定されている複数の周波数バンドと、前記複数の周波数バンド毎に規定されている前記室外熱交換器の目標凝縮温度の中から、取得した前記圧縮機の運転周波数に基づいて前記目標凝縮温度と、を特定し、運転周波数が最も大きい前記圧縮機を有する前記冷凍サイクル回路の前記周波数バンドと、運転周波数が最も小さい前記圧縮機を有する前記冷凍サイクル回路の前記周波数バンドとの差分を算出し、前記周波数バンドの差分に対応して段階的に規定されている複数の前記目標凝縮温度の補正値の中から、算出された前記周波数バンドの差分に基づいて、前記補正値を決定し、運転周波数が最も大きい前記圧縮機を有する前記冷凍サイクル回路の前記目標凝縮温度を前記補正値で補正し、前記室外熱交換器の凝縮温度が前記補正値で補正された前記目標凝縮温度となるよう、前記単一の室外ファンモーターの回転数を制御するものである。
【０００９】
また、本発明に係る空気調和機のファン速制御方法は、室外機と複数の室内機とを備え、前記室外機は、複数の圧縮機と、複数の室外熱交換器と、複数の流路切替装置と、複数の膨張弁と、前記複数の室外熱交換器に空気を送る単一の室外ファンと、前記単一の室外ファンを駆動する単一の室外ファンモーターと有し、前記圧縮機と前記室外熱交換器と前記流路切換装置と前記膨張弁と前記複数の室内機のうちの一部の室内機の室内熱交換器とが冷媒配管で接続された冷凍サイクル回路を複数系統有する空気調和機において、前記複数系統の冷凍サイクル回路が同時に運転されているとき、前記空気調和機の冷媒の目標凝縮温度を設定する設定ステップと、前記目標凝縮温度に基づいて前記単一の室外ファンモーターの回転を制御するモーター制御ステップとを含み、前記設定ステップは、前記複数系統の前記冷凍サイクル回路毎に、前記圧縮機の運転周波数を取得し、前記圧縮機の運転周波数の帯域の高低に対応して段階的に規定されている複数の周波数バンドと、前記複数の周波数バンド毎に規定されている、前記室外熱交換器の目標凝縮温度の中から、前記複数系統の前記冷凍サイクル回路毎に、取得した前記圧縮機の運転周波数に基づいて前記目標凝縮温度と、を特定する特定ステップと、運転周波数が最も大きい前記圧縮機を有する前記冷凍サイクル回路の前記周波数バンドと、運転周波数が最も小さい前記圧縮機を有する前記冷凍サイクル回路の前記周波数バンドとの差分を算出するバンド差分算出ステップと、前記周波数バンドの差分に対応して段階的に規定されている複数の前記目標凝縮温度の補正値の中から、前記バンド差分算出ステップで算出された前記周波数バンドの前記差分に基づいて、前記補正値を決定する補正値決定ステップと、運転周波数が最も大きい前記圧縮機を有する前記冷凍サイクル回路の前記目標凝縮温度を前記補正値で補正する補正ステップとを含んでいる。
【発明の効果】
【００１０】
本発明に係る空気調和機及び空気調和機のファン速制御方法によれば、複数系統の冷凍サイクル回路のそれぞれの空調負荷が異なる場合であっても、各系統において過冷却度が付きすぎの状態、若しくは過冷却度が不足する状態を招くことがない。その結果、各系統において、能力過多の運転、若しくは能力不足気味の運転が防止され、空気調和機全体でバランスのとれた冷房運転を実行することができる。
【図面の簡単な説明】
【００１１】
【図１】本発明の実施の形態における空気調和機の構成図である。
【図２】現在の凝縮温度、目標凝縮温度、及び室外ファンモーターの安定回転数との関係を示すグラフである。
【図３】現在の凝縮温度と目標凝縮温度との差分と、室外ファンモーターの安定回転数との関係を示す図である。
【図４】本発明の実施の形態に係るファン速制御の処理手順を示すフローチャートである。
【図５】冷房運転の開始処理の手順を示すフローチャートである。
【図６】運転している室内機の系統を抽出する処理の手順を示すフローチャートである。
【図７】目標凝縮温度の決定処理の手順を示すフローチャートである。
【図８】バンド差を算出する処理の手順を示すフローチャートである。
【図９】目標凝縮温度を設定する処理の手順を示すフローチャートである。
【図１０】室外ファンモーターの回転数決定の処理手順を示すフローチャートである。
【図１１】室外ファンモーターの回転数の制御を示す回転数ステップのグラフである。
【図１２】室外ファンモーターの回転数変更の処理手順を示すフローチャートである。
【発明を実施するための形態】
【００１２】
以下に、本発明における空気調和機の実施の形態を図面に基づいて詳細に説明する。尚、以下に説明する実施の形態によって本発明が限定されるものではない。また、以下の図面においては各構成部材の大きさは実際の装置とは異なる場合がある。
【００１３】
実施の形態．
図１は、本発明の実施の形態における空気調和機の構成図である。本実施の形態の空気調和機は、熱源機としての室外機Ｘと、室外機Ｘに並列に接続された利用ユニットとしての室内機Ｙ１、室内機Ｙ２、室内機Ｙ３、及び室内機Ｙ４とを備えている。
【００１４】
室外機Ｘは、圧縮機１Ａ及び圧縮機１Ｂと、四方弁２Ａ及び四方弁２Ｂと、室外熱交換器３Ａ及び室外熱交換器３Ｂと、室外ファン４と、室外ファンモーター５と、膨張弁６Ａ１、膨張弁６Ａ２、膨張弁６Ｂ１、及び膨張弁６Ｂ２と、液側バルブ１０Ａ及び液側バルブ１０Ｂと、ガス側バルブ１１Ａ及びガス側バルブ１１Ｂとを有している。また、室外機Ｘは、温度検出手段１２Ａ及び温度検出手段１２Ｂと、温度検出手段１３Ａ及び温度検出手段１３Ｂと、温度検出手段１４と、温度検出手段１５Ａ及び温度検出手段１５Ｂと、室外機制御手段１９とを有している。
【００１５】
室外機制御手段１９は、室外機Ｘを全体的に制御するコントローラである。圧縮機１Ａ及び圧縮機１Ｂは、例えば周波数変化可能な圧縮機である。膨張弁６Ａ１及び６Ａ２、並びに膨張弁６Ｂ１及び６Ｂ２は、開度を可変に制御することができる構造となっている。四方弁２Ａ及び四方弁２Ｂにより、圧縮機１Ａ及び圧縮機１Ｂから吐出されたガス冷媒の流通方向が切り替えられる。室外熱交換器３Ａ及び室外熱交換器３Ｂは、外気と冷媒との間で熱交換を行う熱交換器である。室外ファン４は、室外熱交換器３Ａ及び室外熱交換器３Ｂに外気を送風する送風機である。室外ファン４は、室外ファンモーター５により回転駆動される。膨張弁６Ａ１、膨張弁６Ａ２、膨張弁６Ｂ１、及び膨張弁６Ｂ２は、冷媒を減圧する弁である。圧縮機１Ａの吐出温度は温度検出手段１２Ａにより検出され、圧縮機１Ｂの吐出温度は温度検出手段１２Ｂにより検出される。室外熱交換器３Ａの冷媒飽和温度は温度検出手段１３Ａにより検出され、室外熱交換器３Ｂの冷媒飽和温度は温度検出手段１３Ｂにより検出される。外気の温度は温度検出手段１４により検出される。室外熱交換器３Ａの温度は温度検出手段１５Ａにより検出され、室外熱交換器３Ｂの温度は温度検出手段１５Ｂにより検出される。尚、以降の説明では、室外機Ｘの各構成要素の符号の後のアルファベットを省略する場合があるが、その場合は各構成要素を総称して示すものである。
【００１６】
室内機Ｙ１、Ｙ２、Ｙ３、及びＹ４は、室外機Ｘからの冷熱又は温熱の供給を受けて空調対象域に冷房空気又は暖房空気を供給するものである。尚、以降の説明においては、室内機Ｙの後の数字を省略する場合があるが、その場合は室内機Ｙ１、Ｙ２、Ｙ３、及びＹ４を総称して示すものである。また、室内機Ｙ１の各機器の符号の後にＹ１を付加し、室内機Ｙ２の各機器の符号の後にＹ２を付加し、室内機Ｙ３の各機器の符号の後にＹ３を付加し、室内機Ｙ４の各機器の符号の後にＹ４を付加して図示している。これらの各機器の説明においても、Ｙ符号の後の数字を省略する場合があるが、室内機Ｙ１、Ｙ２、Ｙ３、及びＹ４のそれぞれの機器を総称して示すものである。
【００１７】
室内機Ｙは、室内熱交換器７Ｙと、室内ファン８Ｙと、室内ファンモーター９Ｙと、温度検出手段１６Ｙと、温度検出手段１７Ｙと、室内機制御手段１８Ｙとを有している。室内機制御手段１８Ｙは、室内機Ｙを全体的に制御するコントローラである。室内熱交換器７Ｙの冷媒飽和温度は温度検出手段１６Ｙにより検出される。室内機Ｙが設置されている室内の空気温度は温度検出手段１７Ｙにより検出される。
【００１８】
本実施の形態において、空気調和機は、冷凍サイクルとして第１系統Ａと第２系統Ｂを有している。冷凍サイクルの第１系統Ａは、圧縮機１Ａ、四方弁２Ａ、室外熱交換器３Ａ、膨張弁６Ａ１、膨張弁６Ａ２、液側バルブ１０Ａ、ガス側バルブ１１Ａ、室内熱交換器７Ｙ１、及び室内熱交換器７Ｙ２で構成されている。室内熱交換器７Ｙ１と室内熱交換器７Ｙ２は、並列に配管接続されている。冷凍サイクルの第２系統Ｂは、圧縮機１Ｂ、四方弁２Ｂ、室外熱交換器３Ｂ、膨張弁６Ｂ１、膨張弁６Ｂ２、液側バルブ１０Ｂ、ガス側バルブ１１Ｂ、室内熱交換器７Ｙ３、及び室内熱交換器７Ｙ４で構成されている。室内熱交換器７Ｙ３と室内熱交換器７Ｙ４は、並列に配管接続されている。
【００１９】
次に、本実施の形態に係る空気調和機により冷房運転を実施する場合の動作を説明する。低温低圧のガス冷媒が圧縮機１によって圧縮され、高温高圧のガス冷媒となって吐出される。圧縮機１から吐出された高温高圧のガス冷媒は、四方弁２へと向かう。冷房運転時の四方弁２の流路は図１において実線で示す方向へ設定されている。高温高圧のガス冷媒は四方弁２を通り、室外熱交換器３へ流入する。このとき、ガス冷媒は、室外ファン４から送風される室外の空気に放熱しながら凝縮液化し、高圧の液冷媒となる。その後、高圧の液冷媒は膨張弁６で減圧され、低圧二相状態となり、室内熱交換器７Ｙへ流入する。室内熱交換器７Ｙにおいて、低圧二相状態の冷媒は、室内ファン８Ｙにより室内熱交換器７Ｙへ送風された室内空気から吸熱し、低圧のガス冷媒となる。その後、低圧のガス冷媒は四方弁２を介して圧縮機１へ戻る。このような冷房運転により、室内機Ｙが設置されている室内の空気の温度を下げることができる。
【００２０】
上述の冷房運転において、１系統の冷凍サイクルが運転しているときの動作の一例を示す。ユーザーがリモコン操作により、第１系統Ａの室内機Ｙ１に対して冷房運転の要求を出す。室内機Ｙ１が取り付けられている部屋の室内温度は、温度検出手段１７Ｙ１により検出される。そして、室内機制御手段１８Ｙ１は、温度検出手段１７Ｙ１により検出された室内温度とユーザーにより設定された設定温度との差分を算出し、室外機Ｘの室外機制御手段１９へその差分を送信する。室外機Ｘの室外機制御手段１９は、送信された差分に基づいて圧縮機１Ａの運転周波数を決定し、圧縮機１Ａを運転する。例えば、温度検出手段１７Ｙ１により検出された室内温度が２７℃、ユーザーにより設定された設定温度が２３℃であるとし、圧縮機１Ａの運転周波数が６０Ｈｚであるとする。
【００２１】
このとき、室外機制御手段１９は、温度検出手段１３Ａにより検出される室外熱交換器３Ａの冷媒飽和温度、すなわち凝縮温度が目標値になるよう、室外ファンモーター５の回転数を制御している。本明細書では、圧縮機１の運転周波数に対応して、室外熱交換器３に要求される凝縮温度を目標凝縮温度とする。例えば、圧縮機１Ａの運転周波数が６０Ｈｚである場合は、目標凝縮温度は３８℃である。圧縮機の運転周波数の帯域幅と目標凝縮温度との関係を、表１に示す。
【００２２】
【表１】
0006707189.tif 000002
【００２３】
次に、第１系統Ａの冷凍サイクル及び第２系統Ｂの冷凍サイクルが同時に運転しているときの現象について説明する。ユーザーがリモコン操作により、第１系統Ａの室内機Ｙ１に対して冷房運転の要求を出すと、以下の制御が行われる。室内機Ｙ１が取り付けられている部屋の室内温度は、温度検出手段１７Ｙ１により検出される。そして、室内機制御手段１８Ｙ１は、温度検出手段１７Ｙ１により検出された室内温度とユーザーにより設定された設定温度との差分を算出し、室外機Ｘの室外機制御手段１９へその差分を送信する。室外機Ｘの室外機制御手段１９は、送信された差分に基づいて圧縮機１Ａの運転周波数を決定し、圧縮機１Ａを運転する。例えば、温度検出手段１７Ｙ１により検出された室内温度が３０℃、ユーザーにより設定された設定温度が１６℃であるとし、圧縮機１Ａの運転周波数が８０Ｈｚであるとする。
【００２４】
ユーザーがリモコン操作により、第２系統Ｂの室内機Ｙ３に対して冷房運転の要求を出すと、以下の制御が行われる。室内機Ｙ３の室内機制御手段１８Ｙ３は、温度検出手段１７Ｙ３を介して、室内機Ｙ３が取り付けられている部屋の室内温度を検出する。そして、室内機制御手段１８Ｙ３は、温度検出手段１７Ｙ３により検出された室内温度とユーザーにより設定された設定温度との差分を算出し、室外機Ｘの室外機制御手段１９へその差分を送信する。室外機Ｘの室外機制御手段１９は、送信された差分に基づいて圧縮機１Ｂの運転周波数を決定し、圧縮機１Ｂを運転する。例えば、温度検出手段１７Ｙ３により検出された室内温度が２６℃、ユーザーにより設定された設定温度が２４℃であるとし、圧縮機１Ｂの運転周波数が３０Ｈｚであるとする。
【００２５】
このように、第１系統Ａと第２系統Ｂとで部屋の空調負荷が大きく異なる場合、圧縮機１Ａと圧縮機１Ｂの周波数が大きく異なり、第１系統Ａ及び第２系統Ｂにおけるそれぞれの目標凝縮温度は異なることとなる。例えば、圧縮機１Ａの運転周波数が８０Ｈｚである場合、目標凝縮温度は３９℃であり、圧縮機１Ｂの運転周波数が３０Ｈｚである場合、目標凝縮温度は３６℃である。
【００２６】
このような運転状態の場合、第１系統Ａでは、必要な過冷却度は例えば１０℃となり、第２系統Ｂでは、必要な過冷却度は例えば３℃となる。室外機は単一の室外機Ｘであるため、室外の空気温度は同一である。従って、室外ファンモーター５の回転数を第１系統Ａに合わせた回転数にすると、第２系統Ｂ側は過冷却度が付きすぎの状態となり、能力過多となり易い。逆に、室外ファン４の回転数を第２系統Ｂに合わせた回転数にすると、第１系統Ａ側で過冷却度が不足し、能力不足気味の運転となる。
【００２７】
そこで、本実施の形態では、第１系統Ａと第２系統Ｂを同時に運転するときの目標凝縮温度は、高圧圧力保護の観点から、圧縮機の運転周波数が最も高い系統の目標凝縮温度を基準とする。基準の目標凝縮温度と、圧縮機の運転周波数が最も低い系統の目標凝縮温度との差分を算出し、その差分に基づいて、基準の目標凝縮温度の補正値を決定する。そして、圧縮機の運転周波数が最も高い系統の目標凝縮温度を補正値で補正する。さらに、各系統の圧縮機の凝縮温度が補正された目標凝縮温度となるよう、室外ファン４の回転数を制御する。これにより、系統ごとの冷凍サイクルのバランスをとることができ、システム全体で安定した運転ができるようになる。
【００２８】
具体的な制御の一例について説明する。１系統を運転させるときの動作は以下の通りである。ユーザーがリモコン操作により、第１系統Ａの室内機Ｙ１に対して冷房運転の要求を出す。上述のように、室内機Ｙ１の室内機制御手段１８Ｙ１は、室内機Ｙ１が設置されている部屋の室内温度とユーザーにより設定された設定温度との差分を室外機Ｘの室外機制御手段１９へ送信する。室外機Ｘの室外機制御手段１９は、送信された差分に基づいて圧縮機１Ａの運転周波数を決定し、圧縮機１Ａを運転する。例えば、温度検出手段１７Ｙ１により検出される室内温度が２７℃、設定温度が２３℃であるとし、圧縮機１Ａの運転周波数が６０Ｈｚであるとする。このときの目標凝縮温度は例えば３８℃であり、上述の表１における目標凝縮温度の周波数バンド４に相当する。室外機制御手段１９は、温度検出手段１３Ａにより検出される冷媒の凝縮温度が３８℃になるように室外ファンモーター５の回転数を調整する。
【００２９】
次に、２系列を同時に運転させる際の一例を示す。ユーザーがリモコン操作により、第１系統Ａの室内機Ｙ１に対して冷房運転の要求を出す。上述のように、室内機Ｙ１の室内機制御手段１８Ｙ１は、室内機Ｙ１が設置されている部屋の室内温度とユーザーにより設定された設定温度との差分を室外機Ｘの室外機制御手段１９へ送信する。室外機Ｘの室外機制御手段１９は、送信された差分に基づいて圧縮機１Ａの運転周波数を決定し、圧縮機１Ａを運転する。例えば、温度検出手段１７Ｙ１により検出される室内温度が３０℃、設定温度が１６℃であるとし、圧縮機１Ａの運転周波数が８０Ｈｚであるとする。このときの目標凝縮温度は例えば３８℃であり、上述の表１における目標凝縮温度の周波数バンド４に相当する。
【００３０】
さらに、ユーザーがリモコン操作により、第２系統Ｂの室内機Ｙ３に対して冷房運転の要求を出す。上述のように、室内機Ｙ３の室内機制御手段１８Ｙ３は、室内機Ｙ３が設置されている部屋の室内温度とユーザーにより設定された設定温度との差分を室外機Ｘの室外機制御手段１９へ送信する。室外機Ｘの室外機制御手段１９は、送信された差分に基づいて圧縮機１Ｂの運転周波数を決定し、圧縮機１Ｂを運転する。例えば、温度検出手段１７Ｙ３により検出される室内温度が２６℃、設定温度が２４℃であるとし、圧縮機１Ｂの運転周波数が３０Ｈｚであるとする。このときの目標凝縮温度は例えば３６℃であり、上述の表１における目標凝縮温度の周波数バンド２に相当する。
【００３１】
このようなとき、室外機Ｘの室外機制御手段１９は、第１系統Ａの目標凝縮温度は３８℃で周波数バンド４に属し、第２系統Ｂの目標凝縮温度は３６℃で周波数バンド２に属すると認識する。ここで、第１系統Ａの目標凝縮温度は３８℃であり、圧縮機１Ａの運転周波数８０Ｈｚであるのに対し、第２系統Ｂの目標凝縮温度は３６℃であり、圧縮機１Ｂの運転周波数は３０Ｈｚであり、圧縮機１Ａの運転周波数の方が圧縮機１Ｂの運転周波数よりも高い。従って、室外機制御手段１９は、第１系統Ａの目標凝縮温度、すなわち３８℃を基準とする。室外機制御手段１９は、第１系統Ａと第２系統Ｂの周波数バンド差を算出し、その差に応じて補正値を決定する。表２は、本実施の形態における、周波数バンド差と目標凝縮温度の補正値との関係を示す表である。
【００３２】
【表２】
0006707189.tif 000003
【００３３】
上述の例では、周波数バンド差は４−２＝２となり、目標凝縮温度の補正値は＋１．０℃である。従って、室外機制御手段１９により、基準値である第１系統Ａの目標凝縮温度は３８℃から３８℃＋１．０℃＝３９℃に補正される。
【００３４】
圧縮機１の運転開始後、温度検出手段１３によって凝縮器である室外熱交換器３の冷媒飽和温度、つまり凝縮温度を検出する。温度検出手段１３によって検出された室外熱交換器３の凝縮温度が、上述のように補正を加えた目標凝縮温度に到達するように、室外ファン４の回転数を設定する。すなわち、圧縮機１の運転開始後、温度検出手段１３Ａにより室外熱交換器３Ａの冷媒の凝縮温度、及び温度検出手段１３Ｂにより検出される室外熱交換器３Ｂの冷媒の凝縮温度が、補正された目標凝縮温度３９℃になるよう、室外機制御手段１９は室外ファン４の回転数を設定する。そして、設定された室外ファン４の回転数に基づいて室外ファンモーター５の回転数を調整する。
【００３５】
現在の凝縮温度をＴｃとし、目標凝縮温度をＴｃｍとすると、Ｔｃが大きければ大きいほど、凝縮温度Ｔｃと目標凝縮温度Ｔｃｍとの差が大きくなるため、熱交換に必要な風量は大きくなることとなり、室外ファン４の必要回転数、換言すると安定回転数が大きくなる。図２は、現在の凝縮温度、目標凝縮温度、及び室外ファンモーターの安定回転数との関係を示すグラフである。横軸に現在の凝縮温度Ｔｃをとり、縦軸に室外ファンモーター５の安定回転数Ｎをとっている。図２中、線Ｌ２１は目標凝縮温度Ｔｃｍが３６℃の場合、線Ｌ２２は目標凝縮温度Ｔｃｍが３８℃の場合、線Ｌ２３は目標凝縮温度Ｔｃｍが４０℃の場合の、凝縮温度Ｔｃと安定回転数Ｎとの関係を示している。
【００３６】
本実施の形態では、冷凍サイクルの状態をより安定化させるため、室外ファン４の回転数の制御、すなわち室外ファンモーター５の回転数の制御は段階的に実行される。そして、温度検出手段１３によって検出される室外熱交換器３の凝縮温度を室外機制御手段１９が受信し、室外ファンモーター５の回転数を決定する制御間隔は、例えば６０秒としている。設定される室外ファン４の回転数に応じて室外熱交換器３を通過する風量が変化するため、現在の凝縮温度は変化する。本実施の形態では、現在の凝縮温度の変化に対してハンチングを起こしにくくするために、室外ファンモーター５の回転数変化にはヒステリシスを持たせている。図３は、現在の凝縮温度と目標凝縮温度との差分と、室外ファンモーターの安定回転数との関係を示す図である。図３中、横軸に凝縮温度Ｔｃと目標凝縮温度Ｔｃｍとの差分のΔＴｃをとり、縦軸に室外ファンモーター５の安定回転数Ｎをとっている。図３中、実線で示すように、差分ΔＴｃの変化に応じて、室外ファンモーター５の安定回転数Ｎはステップ状に変化するよう制御される。さらに、図３中、点線矢印で示すように、室外ファンモーター５の安定回転数Ｎの変化にはヒステリシスを持たせている。
【００３７】
図４は、本発明の実施の形態に係るファン速制御の処理手順を示すフローチャートである。ステップＳ１で冷房運転の開始処理が実行される。図５は、冷房運転の開始処理の手順を示すフローチャートである。ユーザーがリモコン操作することにより室内機Ｙに対し冷房運転の要求を出すと、ステップＳ１−１で、室内機制御手段１８Ｙは運転開始指令を受信する。運転開始指令を受信した室内機制御手段１８Ｙは、ステップＳ１−２において室内ファンモーター９Ｙの運転を開始する。次いで、ステップＳ１−３で、室外機制御手段１９は、室内機制御手段１８Ｙから運転開始指令を受信する。その後、処理は図４のステップＳ２に進む。
【００３８】
ステップＳ２では運転している室内機の系統を抽出する処理が実行される。図６は、運転している室内機の系統を抽出する処理の手順を示すフローチャートである。ステップＳ２−１において、室外機制御手段１９は、受信した運転開始命令に基づいて運転している冷凍サイクル回路の系統を特定する。運転開始命令が室内機制御手段１８Ｙ１若しくは室内制御手段１８Ｙ２から受信したものであれば、室外機制御手段１９は、運転しているのは第１系統Ａが運転であると特定する。また、運転開始命令が室内機制御手段１８Ｙ３若しくは室内制御手段１８Ｙ４から受信したものであれば、室外機制御手段１９は、運転しているのは第２系統Ｂであると特定する。次いで、ステップＳ２−２において、室外機制御手段１９は、運転開始時の調整処理を実行する。本実施の形態において、運転開始時の調整処理とは、圧縮機１の運転開始周波数の調整、室外ファンモーター５の回転数の調整、四方弁２の流路の調整、膨張弁６の開度の調整である。その後、処理は図４のステップＳ３へ進む。
【００３９】
ステップＳ３では、運転中の冷凍サイクルが１系統であるか否かチェックされる。運転中の冷凍サイクルが１系統である場合、処理はステップＳ４へ進む。運転中の冷凍サイクルが複数系統である場合、処理はステップＳ６へ進む。
【００４０】
ステップＳ４では、室外機制御手段１９は、現在の圧縮機１の運転周波数を検出し、検出された運転周波数に基づいて、上述の表１の対応表の中から、目標凝縮温度を決定するための周波数バンドを特定する。次いでステップＳ５へ進み、目標凝縮温度を決定する。図７は、目標凝縮温度の決定処理の手順を示すフローチャートである。ステップＳ５−１において、室外機制御手段１９は、温度検出手段１３により検出された室外熱交換器３の冷媒飽和温度に基づいて、現在の凝縮温度Ｔｃを抽出する。次いでステップＳ５−２において、室外機制御手段１９は、ステップＳ４で特定した周波数バンドに設定されている目標凝縮温度Ｔｃｍを決定する。その後、処理は図４のステップＳ１０へ進む。
【００４１】
一方、ステップＳ６では、運転している冷凍サイクルの系統ごとに、現在の圧縮機１の運転周波数を検出し、検出された運転周波数に基づいて、上述の表１の対応表の中から、目標凝縮温度Ｔｃｍを決定するための周波数バンドを特定する。ステップＳ６に進む場合とは、本実施の形態では第１系統Ａ及び第２系統Ｂが運転中の場合である。従って、ステップＳ６において、室外機制御手段１９は、第１系統Ａについては圧縮機１Ａの運転周波数に基づいて、表１の対応表の周波数バンドを特定し、第２系統Ｂについては圧縮機１Ｂの運転周波数に基づいて、表１の対応表の周波数バンドを特定する。次いでステップＳ７へ進む。ステップＳ７では、室外機制御手段１９は、バンド差の算出処理を行う。図８は、バンド差を算出する処理の手順を示すフローチャートである。ステップＳ７−１において、室外機制御手段１９は、ステップＳ６で特定された周波数バンドのうち最も値の大きい周波数バンドを抽出し、基準バンドとする。次いで、ステップ７−２へ進み、ステップＳ６で特定された周波数バンドのうち最も値の小さい周波数バンドを抽出する。そして、ステップＳ７−１で決定された基準バンドと、最も値の小さい周波数バンドとの差分、すなわち周波数バンド差を算出する。また、圧縮機１の運転周波数が基準バンドに属する冷凍サイクルの系統を基準系統とする。その後、処理は図４のステップＳ８へ進む。
【００４２】
ステップＳ８では、室外機制御手段１９は、ステップＳ７−２で算出した周波数バンド差に対応する目標凝縮温度の補正値Ｔｃｍｈを上述の表２に基づいて決定する。次いで、ステップＳ９へ進み、室外機制御手段１９は、目標凝縮温度の設定を行う。図９は、目標凝縮温度を設定する処理の手順を示すフローチャートである。ステップＳ９−１において、室外機制御手段１９は、運転している冷凍サイクルの系統毎に、温度検出手段１３により検出される室外熱交換器３の冷媒飽和温度に基づいて、現在の凝縮温度Ｔｃを抽出する。ステップＳ９−１に進む場合とは、上述のように第１系統Ａ及び第２系統Ｂが運転中である場合である。従って、ステップＳ９−１では、室外機制御手段１９は、第１系統Ａについては、温度検出手段１３Ａにより検出される冷媒飽和温度に基づいて、室外熱交換器３Ａの現在の凝縮温度Ｔｃａを抽出し、第２系統Ｂについては、温度検出手段１３Ｂにより検出される冷媒飽和温度に基づいて、室外熱交換器３Ｂの現在の凝縮温度Ｔｃｂを抽出する。また、圧縮機１の運転周波数のバンドが、ステップＳ７−１で基準系統に設定された冷凍サイクルの系統の凝縮温度をシステムの凝縮温度Ｔｃとして設定し、以降の処理で使用する。すなわち、システムの凝縮温度Ｔｃは、凝縮温度Ｔｃａ若しくはＴｃｂである。
【００４３】
次いで、ステップＳ９−２において、室外機制御手段１９は、システムの目標凝縮温度ベースＴｃｍ＿ｂａｓｅを設定する。ステップＳ７−１において圧縮機１の運転周波数が基準バンドに属すると特定された冷凍サイクルの系統の目標凝縮温度をシステムの目標凝縮温度ベースＴｃｍ＿ｂａｓｅとして設定する。すなわち、圧縮機１の運転周波数が最も大きいバンドに属する冷凍サイクルの系統の目標凝縮温度が、システムの目標凝縮温度ベースＴｃｍ＿ｂａｓｅとして設定される。システムの目標凝縮温度ベースＴｃｍ＿ｂａｓｅは、以降の制御に使用される。
【００４４】
次いで、ステップＳ９−３において、室外機制御手段１９は、システムの目標凝縮温度ベースＴｃｍ＿ｂａｓｅを、ステップＳ８で決定された補正値Ｔｃｍｈで補正し、目標凝縮温度Ｔｃｍを設定する。具体的には、目標凝縮温度ベースＴｃｍ＿ｂａｓｅに補正値Ｔｃｍｈを加える。その後、処理は図４のステップＳ１０へ進む。
【００４５】
ステップＳ１０では、室外機制御手段１９は、現在のシステムの凝縮温度Ｔｃと目標凝縮温度Ｔｃｍの差分ΔＴｃを算出する。運転中の冷凍サイクルが１系統の場合、差分ΔＴｃの算出にはステップＳ５で算出された目標凝縮温度Ｔｃｍが用いられ、運転中の冷凍サイクルが２系統の場合、差分ΔＴｃの算出にはステップＳ９−３で設定された目標凝縮温度Ｔｃｍが用いられる。また、運転中の冷凍サイクルが２系統の場合、凝縮温度Ｔｃは、ステップＳ７−１で基準系統に設定された冷凍サイクルの系統において、温度検出手段１３により得られる凝縮温度である。
【００４６】
次いでステップＳ１１において、室外ファンモーター５の回転数を決定する。図１０は、室外ファンモーターの回転数決定の処理手順を示すフローチャートである。ステップＳ１１−１において、室外機制御手段１９は、ステップＳ１０で算出された差分ΔＴｃに基づいて、凝縮温度差バンドを決定する。凝縮温度差バンドは、凝縮温度Ｔｃと目標凝縮温度Ｔｃｍとの差分ΔＴｃの帯域に対応して段階的に規定されている。表３は、本実施の形態において、凝縮温度差バンドの設定に用いられる温度差の幅の閾値を示す表である。また、表４は、凝縮温度Ｔｃと目標凝縮温度Ｔｃｍとの差分の帯域と、凝縮温度差バンドとを対応付ける表である。
【００４７】
【表３】
0006707189.tif 000004
【００４８】
【表４】
0006707189.tif 000005
【００４９】
表３の閾値を表４の凝縮温度差バンド１に当てはめると、凝縮温度差バンド１はＴｃ≦Ｔｃｍ−５という帯域に対応している。すなわち、凝縮温度差バンド１は、現在の凝縮温度Ｔｃが目標凝縮温度Ｔｃｍよりも大幅に低い場合の温度差の帯域に対応している。表３の閾値を表４の凝縮温度差バンド７に当てはめると、凝縮温度差バンド７はＴｃｍ＋５＜Ｔｃという帯域に対応している。すなわち、凝縮温度差バンド７は、現在の凝縮温度Ｔｃが目標凝縮温度Ｔｃｍよりも大幅に高い温度差の帯域に対応している。表３の閾値を表４の凝縮温度差バンド４に当てはめると、凝縮温度差バンド４は、Ｔｃｍ−１＜Ｔｃ≦Ｔｃｍ＋１という帯域に対応している。すなわち、凝縮温度差バンド４は、現在の凝縮温度Ｔｃが目標凝縮温度Ｔｃｍに近似している帯域に対応している。凝縮温度差バンド１と凝縮温度差バンド４との間は、現在の凝縮温度Ｔｃが目標凝縮温度Ｔｃｍより低い帯域が段階的に規定されている。凝縮温度差バンド４と凝縮温度差バンド７との間は、現在の凝縮温度Ｔｃが目標凝縮温度Ｔｃｍより高い帯域が段階的に規定されている。
【００５０】
上述の例では、目標凝縮温度Ｔｃｍは３９℃に補正されている。現在の凝縮温度Ｔｃが４１℃だとすると、ＴｃとＴｃｍの差分は４１℃−３９℃＝２℃となる。従って、表４より凝縮温度差バンドは５となる。
【００５１】
次いで、ステップＳ１１−２において、室外機制御手段１９は、室外ファンモーター５の回転数ステップを決定する。図１１は、室外ファンモーターの回転数の制御を示す回転数ステップのグラフである。図１１中、横軸には表４に示す凝縮温度差バンドをとり、縦軸には室外ファンモーター５の回転数をとっている。室外ファンモーター５の回転数は、凝縮温度差バンドの増減に対応して段階的に設定されている。すなわち、凝縮温度差バンドが１から７へ向けて大きくなるにつれ、室外ファンモーター５の回転数は段階的に大きくなり、凝縮温度差バンドが７から１へ向けて小さくなるにつれ、室外ファンモーター５の回転数は段階的に小さくなっている。さらに、室外ファンモーター５の回転数の制御にはヒステリシスをもたせている。すなわち、凝縮温度差バンドのそれぞれに対応する回転数ステップには上段と下段のステップが設定されている。例えば、凝縮温度差バンド４の上段のステップｎ（上）の回転数と、凝縮温度差バンド５の下段のステップｎ＋１の回転数は同一であり、凝縮温度差バンド４の下段のステップｎ（下）の回転数と、凝縮温度差バンド４の上段の回転数ステップｎ−１の回転数は同一である。本実施の形態において、回転数ステップの初期位置は、凝縮温度差バンドに対応する回転数ステップの下段に設定される。
【００５２】
例えば、上述のように凝縮温度Ｔｃが４１℃、目標凝縮温度Ｔｃｍが３９℃であり、ΔＴｃが２℃、凝縮温度差バンドが５の場合、回転数ステップはｎ＋１の下段であるｎ＋１（下）に設定される。
【００５３】
ステップＳ１１−３では、室外機制御手段１９は、ステップＳ１１−２で設定された回転数ステップに対応する回転数で室外ファンモーター５を回転させ、室外ファン４の回転数を決定する。
【００５４】
次いで、図４のステップＳ１２へ進み、所定時間、例えば６０秒が経過したか否かをチェックする。所定時間が経過したらステップＳ１３へ進む。ステップＳ１３では、室外ファン４の回転数を変更する処理が実行される。図１２は、室外ファンモーターの回転数変更の処理手順を示すフローチャートである。ステップＳ１３−１において、室外機制御手段１９は、室外ファンモーター５の回転数が安定している凝縮温度差バンドとヒステリシスの位置を抽出する。次いで、ステップＳ１３−２において、室外機制御手段１９は、現在の凝縮温度Ｔｃと目標凝縮温度Ｔｃｍとの差ΔＴｃを算出する。運転中の冷凍サイクルが２系統の場合、凝縮温度Ｔｃは、ステップＳ７−１で基準系統に設定された冷凍サイクルの系統において、温度検出手段１３により得られる凝縮温度である。そして、室外機制御手段１９は、ΔＴｃに応じて上述の凝縮温度差バンドを変更する。
【００５５】
次いでステップＳ１３−３へ進み、室外機制御手段１９は、ステップＳ１３−１及びステップＳ１３−２の結果に応じて、室外ファンモーター５の回転数を以下の４つの態様で変更する。
【００５６】
ステップＳ１３−１で、現在の室外ファンモーター５の回転数が図１１に示す回転数ステップのヒステリシスの上段にあることが確認され、ステップＳ１３−２で、凝縮温度差バンドがより小さい数字のバンド、すなわち下のバンドへ移行したことが確認された場合、室外ファンモーター５の回転数をダウンさせ、回転数ステップのヒステリシスの下段へ移動させる。例えば、ステップＳ１３−１で現在の室外ファンモーター５の回転数がｎ＋１（上）に存在していることが確認され、ステップＳ１３−２で算出されたΔＴｃが凝縮温度差バンド５から凝縮温度差バンド４へ移行していることが確認されたら、室外ファンモーター５の回転数をダウンさせ、ｎ＋１（下）へ移動させる。
【００５７】
また、ステップＳ１３−２で凝縮温度差バンドがより小さい数字のバンド、すなわち下のバンドへ移行したことが確認された場合、室外ファンモーター５の回転数をアップさせ、回転数ステップのヒステリシスの上段へ移動させる。
【００５８】
また、ステップＳ１３−２で算出された差ΔＴｃが、回転数ステップｎ−１からｎ−３のいずれかに対応する凝縮温度差バンドにあり、かつ凝縮温度差バンドに変更がない状態が６０秒間経過した場合、室外ファンモーター５の回転数をダウンさせる。
【００５９】
また、ステップＳ１３−２で算出された差ΔＴｃが、回転数ステップｎ＋１からｎ＋３のいずれかに対応する凝縮温度差バンドにあり、かつ凝縮温度差バンドに変更がない状態が６０秒間経過した場合、室外ファンモーター５の回転数をアップさせる。
【００６０】
ステップＳ１３−３で上述の４つの制御のいずれかが実行されたら、図４のステップＳ１４へ進む。ステップＳ１４では、室内機Ｙの運転台数若しくは冷凍サイクルの運転系統数に変化があったか否かがチェックされる。室内機Ｙの運転台数若しくは冷凍サイクルの運転系統数に変化があったことが確認されると、処理は図４のステップＳ２へ移行する。室内機Ｙの運転台数若しくは冷凍サイクルの運転系統数に変化がないことが確認されると処理はステップＳ１２へ移行する。
【００６１】
以上のように、本実施の形態によれば、第１系統Ａ及び第２系統Ｂのそれぞれの空調負荷が異なる場合であっても、室外ファンモーター５の回転数を上述のように制御することで、各系統において過冷却度が付きすぎの状態、若しくは過冷却度が不足する状態を招くことがない。その結果、各系統において、能力過多の運転、若しくは能力不足気味の運転が防止され、空気調和機全体でバランスのとれた冷房運転を実行することができる。
【００６２】
本実施の形態によれば、単一の室外ファン４及び単一の室外ファンモーター５により、第１系統Ａ及び第２系統Ｂの冷房運転を良好なものとすることができる。従って、第１系統Ａ及び第２系統Ｂのそれぞれに室外ファン及び室外ファンモーターを備える必要がなく、複雑な制御を必要としない。
【００６３】
本実施の形態では、運転開始後、６０秒が経過するたびに室外熱交換器３の現在の凝縮温度と目標凝縮温度との差分に基づいて室外ファンモーター５の回転数を変化させるとき、ヒステリシスを持たせて制御している。従って、室外ファンモーター５の駆動においてハンチングを防止することができる。
【００６４】
本実施の形態は、単一の室外機Ｘが２系統の冷凍サイクルを有する構成を有しているがこれに限るものではない。単一の室外機Ｘが３系統以上の冷凍サイクルを有する構成においても、室外機制御手段１９により上述と同様の処理が実行され、同様の効果を発揮する。
【００６５】
本実施の形態は、冷凍サイクルの各系統において室内機Ｙが２台接続されている構成を有しているがこれに限るものではない。冷凍サイクルの各系統に接続される室内機Ｙの台数は１台でもよく、３台以上でもよい。尚、１つの系統に複数の室内機Ｙが接続される構成において、上述の室外機制御手段１９による制御はより効果的である。
【符号の説明】
【００６６】
１  圧縮機、１Ａ  圧縮機、１Ｂ  圧縮機、２  四方弁、２Ａ  四方弁、２Ｂ  四方弁、３  室外熱交換器、３Ａ  室外熱交換器、３Ｂ  室外熱交換器、４  室外ファン、５  室外ファンモーター、６  膨張弁、６Ａ１  膨張弁、６Ａ２  膨張弁、６Ｂ１  膨張弁、６Ｂ２  膨張弁、７  凝縮温度差バンド、７Ｙ  室内熱交換器、７Ｙ１  室内熱交換器、７Ｙ２  室内熱交換器、７Ｙ３  室内熱交換器、７Ｙ４  室内熱交換器、８Ｙ  室内ファン、９Ｙ  室内ファンモーター、１０Ａ  液側バルブ、１０Ｂ  液側バルブ、１１Ａ  ガス側バルブ、１１Ｂ  ガス側バルブ、１２Ａ  温度検出手段、１２Ｂ  温度検出手段、１３  温度検出手段、１３Ａ  温度検出手段、１３Ｂ  温度検出手段、１４  温度検出手段、１５Ａ  温度検出手段、１５Ｂ  温度検出手段、１６Ｙ  温度検出手段、１７Ｙ  温度検出手段、１７Ｙ１  温度検出手段、１７Ｙ３  温度検出手段、１８Ｙ  室内機制御手段、１８Ｙ１  室内機制御手段、１８Ｙ２  室内制御手段、１８Ｙ３  室内機制御手段、１８Ｙ４  室内制御手段、１９  室外機制御手段、Ａ  第１系統、Ｂ  第２系統、Ｎ  安定回転数、Ｔｃ  凝縮温度、Ｔｃａ  凝縮温度、Ｔｃｂ  凝縮温度、Ｔｃｍ  目標凝縮温度、Ｔｃｍ＿ｂａｓｅ  目標凝縮温度ベース、Ｔｃｍｈ  補正値、Ｘ  室外機、Ｙ  室内機、Ｙ１  室内機、Ｙ２  室内機、Ｙ３  室内機、Ｙ４  室内機、ΔＴｃ  差分。
【図１】
0006707189.tif 000006
【図２】
0006707189.tif 000007
【図３】
0006707189.tif 000008
【図４】
0006707189.tif 000009
【図５】
0006707189.tif 000010
【図６】
0006707189.tif 000011
【図７】
0006707189.tif 000012
【図８】
0006707189.tif 000013
【図９】
0006707189.tif 000014
【図１０】
0006707189.tif 000015
【図１１】
0006707189.tif 000016
【図１２】
0006707189.tif 000017